(57)【要約】      （修正有）【課題】意図しない出力結果による用紙の無駄を防ぐとともに、意図しない出力結果を招いて再度出力方法を変えたときの原稿の再読み込みを省く。【解決手段】操作表示部９からの出力要求に対して、画像読み取り部１で全ての原稿を読み取って記憶部８に蓄積し、プロッタ部２からの出力は原稿の一部あるいは一ページ分だけ試し出力し、試し出力の結果の確認後に、結果の適否が適の場合に操作表示部９を現状のままの設定で引き続きプロッタ部２から出力し、結果の適否が否の場合に操作表示部９を再設定して既に読み取りの終了した記憶部８からの画像データを画像データ処理部１５で再処理してプロッタ部２から出力する。【選択図】図２
2008236258.tif 000002
【特許請求の範囲】
【請求項１】
ユーザーからの操作入力を検知する操作手段と装置の各種状態を表示する表示手段とからなる操作表示部と、
原稿を読取り電子化した画像データを得る画像読み取り部と、
転写紙に前記画像データを印字する画像書き込み部と、
前記画像データおよび前記画像データの付帯情報を蓄積する記憶部と、
外部装置と前記画像データを送受する外部Ｉ／Ｆ部と、
前記画像データに対する処理を行う画像データ処理部と、
画像処理装置内各部の制御を行なう制御部と、を備え、
前記操作表示部からの出力要求に対して、前記画像読み取り部で全ての原稿を読み取って前記記憶部に蓄積し、
前記画像書き込み部からの出力は原稿の一部あるいは一ページ分だけ試し出力し、
前記試し出力の結果の確認後に、前記結果の適否が適の場合に前記操作表示部を現状のままの設定で引き続き前記画像書き込み部から出力し、前記結果の適否が否の場合に前記操作表示部を再設定して既に読み取りの終了した前記記憶部からの画像データを前記画像データ処理部で再処理して前記画像書き込み部から出力する
ことを特徴とする画像処理装置。
【請求項２】
請求項１において、
前記転写紙の残り量を検知する転写紙残量検知部を設け、
前記制御部は、前記転写紙残量検知部からの転写紙残量と、前記操作表示部によるユーザーからの出力要求に必要な枚数とから、前記出力要求に対して転写紙が不足すると判断した場合、前記画像読み取り部で全ての原稿を読み取って前記記憶部に蓄積しつつ、前記画像書き込み部からの出力は行なわずに前記操作表示部に転写紙が不足することを表示する
ことを特徴とする画像処理装置。
【請求項３】
請求項２において、
前記制御部は、同時並列的な複数要求の場合に優先度の高い要求により割り込みが発生し、前記発生した割り込み要求によって割り込まれた元の出力要求に対して転写紙が不足すると判断した場合、前記操作表示部に転写紙が不足することを表示する
ことを特徴とする画像処理装置。
【請求項４】
請求項２または３において、
前記制御部は、前記転写紙残量検知部からの転写紙残量と、前記操作表示部からの出力要求に必要な枚数とに基づいて、前記転写紙が不足すると判断した場合に、両面出力、用紙サイズ、集約処理等の加工を検討し、前記検討された加工によって転写紙不足か否かを判定し、前記判定によって転写紙不足が解消される場合に、前記転写紙不足の表示に加えて、該当する加工の種別と前記解消される旨を前記操作表示部に表示する
ことを特徴とする画像処理装置。
【請求項５】
請求項４において、
前記制御部は、前記転写紙不足の表示と前記該当する加工の種別を前記操作表示部に表示した時点からタイマーに設定した規定時間に達してもユーザーによる前記操作表示部からの反応指示がなかったことを検知すると、前記操作表示部に表示した前記該当する加工を実行させ、前記実行した加工によって前記画像書き込み部から出力する
ことを特徴とする画像処理装置。
【請求項６】
請求項４または５において、
ユーザー毎に前記加工の優先順位を前記記憶部に記憶し、
前記制御部が前記転写紙不足と判断した場合に、前記記憶部に記憶された優先順位にしたがって前記加工を検討して前記画像書き込み部からの出力を決定する
ことを特徴とする画像処理装置。
【請求項７】
請求項４、５または６において、
前記画像読み取り部に原稿の白紙を検知する白紙検知手段を設け、
前記制御部が前記転写紙が不足すると判断した場合に、前記白紙検知手段で白紙検知された原稿に対応する画像データが、前記記憶部から前記画像データ処理部に至る画像データの流れから除外される
ことを特徴とする画像処理装置。
【請求項８】
請求項４、５または６において、
前記画像データ処理部に原稿の白紙を検知する白紙検知手段を設け、
前記制御部が前記転写紙が不足すると判断した場合に、前記白紙検知手段で白紙検知された原稿に対応する画像データが、前記画像データ処理部から前記記憶部に至る画像データの流れから除外される
ことを特徴とする画像処理装置。
【請求項９】
ユーザーからの操作入力を受け付けるとともに装置の各種状態を表示する操作表示部と、原稿を読み取って画像データを生成し出力する読み取り部と、受け取った画像データを転写紙に出力するプロッタ部と、画像データ及びその付帯情報を蓄積する記憶部と、画像データに対する処理を行う画像データ処理部と、画像処理装置の制御全体を司るＣＰＵと、を備えた画像処理装置におけるコピー制御方法であって、
前記操作表示部でのコピー出力要求の設定後にお試しコピーを指示するステップと、
前記操作表示部からのコピー出力要求に対応して前記読み取り部で全ての原稿を読み取って前記記憶部に蓄積するステップと、
前記記憶部から前記画像データ処理部に全ての原稿の画像データが送られて加工又は編集などの画像処理を実施するステップと、
前記画像処理された画像データを前記記憶部に蓄積させた後に原稿の一部あるいは一ページ分だけを前記プロッタ部で試し出力するステップと、
前記試し出力の結果の確認し、前記結果の適否が否の場合に前記操作表示部を再設定して既に読み取りの終了した前記記憶部からの画像データを前記画像データ処理部で再処理し、前記記憶部を通して前記プロッタ部からコピー出力するステップと、からなる
ことを特徴とする画像処理装置のコピー制御方法。
【発明の詳細な説明】
【技術分野】
【０００１】
本発明は、複写機、ファクシミリ、プリンタ、スキャナ等の機能を複合したデジタル複合機（ＭＦＰ）において、デジタル画像データに対する画像処理装置、画像処理の制御方法及び画像処理システムに関する。
【背景技術】
【０００２】
デジタル複合機の沿革について述べると、まず、ＣＣＤ光電変換素子からなるラインセンサ読み取り装置やレーザーによる書き込み装置の発展により、アナログ複写機からデジタル化された画像データの処理を行うデジタル複写機が登場した。デジタル複写機となってからは、複写機の機能だけでなく、ファクシミリの機能、プリンタの機能、スキャナの機能等の各機能と複合したため、単なるデジタル複写機ではなく、デジタル複合機（ＭＦＰ）と呼ばれるようになった。
【０００３】
また、ＨＤＤドライブ等によるメモリ大容量化と低コスト化、ネットワーク等を用いた通信技術の高速化や普及、ＣＰＵの処理能力の向上、デジタル画像データに関連する技術（特性値の規格化や圧縮フォーマット等）等の、ＭＦＰに関連する技術の進化に伴い、ＭＦＰに搭載される機能も多種、多様化してきている。オフィスの中でのＭＦＰの使われ方も多種、多様化してきており、例えばパソコン（ＰＣ）の横にペアで設置され、各操作者が手軽に複写機・ファクシミリ・プリンタ・スキャナの各機能を使用することができる小型のＭＦＰが使用され、また、部署や課単位の複数名で共有され、ある程度の生産性やソート・パンチ・ステープル等の機能が使用できる中型のＭＦＰが使用され、また、企業の中で複写関連業務を集中して行う部署、もしくは複写関連業務そのものを生業とする会社では、高生産性・高品位で、多機能な大型のＭＦＰが使用されている。
【０００４】
このように、小型から大型まで多様化してきているＭＦＰであるが、各クラスに亘って共有できる機能も存在するが、クラスごとに要求が強い機能も存在する。たとえば、大型ＭＦＰではパンチ・ステープル・紙折り等のプロット後の紙に対する後加工や、複写業務と同時に電子ファイリング化すること等が求められ、小型ＭＦＰではインターネットＦＡＸやＰＣ−ＦＡＸ等の充実や、パーソナル的な使用目的として、専用紙に対する高品位画像印刷等が求められる。このように多種・多様化してきているＭＦＰ市場に対して、従来は各クラスに必要な機能をセットにしたシステムを構築し、販売し提供していた。
【０００５】
そして、ビジネスにおける情報価値の重要性は既に認知されており、情報を速く、正確に、確実に伝えるだけでなく、分かりやすく且つ効果的に伝えることも要求されている。通信技術の高速化及び普及化、メモリの大容量化と低コスト化と小型化、ＰＣの高性能化にともない、デジタルデータを利用した情報を効率的に扱う新しい機能が提供されてきており、デジタルデータの一部であるデジタル画像データを扱うＭＦＰにも、新機能の提供や融合が望まれてきている。
【０００６】
ここで、デジタル複写機の概観を示す図１９と、読取光学系の側面を示す図２０とを用いて、デジタル複写機の全般を説明すると、原稿は読み取り面が下向きになるように原稿台４０１にセットされ、光源４０２により照明され、その反射光がミラー４０３およびレンズと中継のミラー群４０４を通して順次収束、反射され、イメージラインセンサ（以下、ＣＣＤ）４０５により読み取られる。
【０００７】
また、書き込み転写系の概略図を示す図２１を用いて、プリント側の動作をみると、帯電体２０３により感光体２０１を帯電させ、この感光体２０１にＬＤ２０２にてレーザーを当てることで、レーザーを当てた箇所と当てない箇所の帯電状態の差異を作り、帯電した箇所にトナー２０５を付着させる。付着点２０６にて反対側から帯電させたローラ２０７により転写紙にトナーを乗せ、これを定着ローラ２０４にて紙に固着させる。ＣＭＹＫ４色から実現するカラー画像の場合、このプロセスを４つの感光体構成で実現したり、１つの感光体を別々の色で４回回して転写するなどの方法でカラーを実現する。
【０００８】
ここで、ディジタル画像処理装置（ＭＦＰ）の全体構成を図２２を用いて説明する。図２２において、読み取り部１は原稿をＣＣＤ光電変換素子からなるラインセンサとＡ／Ｄコンバータとそれら駆動回路を具備し、セットされた原稿をスキャンすることで原稿の濃淡情報をＲＧＢ各８ビットからなるデジタル画像データを生成し出力する。プロッタ部２はＣＭＹＫからなるデジタル画像データを受け取ると、レーザービームを用いた電子写真プロセスを使って、転写紙に受け取った画像データを出力する。
【０００９】
また、外部Ｉ／Ｆ回路部４は、デジタル画像処理装置と外部装置間で、各種データのやり取りを行うために必要な物理的な接続を行う回路である。図示する構成例ではネットワーク（イーサネット（登録商標））とＳＤカードメモリ６との接続を行う。ＰＣ５はいわゆるパーソナルコンピュータで、パーソナルコンピュータにインストールされたアプリケーションソフトやドライバを介して、ユーザーは本デジタル画像処理装置に対して各種制御や画像データの入出力を行う。ＳＤ６は、フラッシュメモリを内蔵した小型メモリ装置の一種で、簡易に装置着脱可能で携帯性に優れていることから近年普及したＳＤメモリカードである。
【００１０】
また、ＨＤＤ３は、デスクトップパソコンにも使用されている電子データを保存するための大型の記憶装置であって、デジタル画像処理装置内では主にデジタル画像データおよびデジタル画像データの付帯情報を蓄積する。また、図示する構成例ではＩＤＥを拡張して規格化されているＡＴＡバス接続のハードディスクを使用する。
【００１１】
操作表示部９は、デジタル画像処理装置とユーザーのインターフェースを行う部分で、ＬＣＤ（液晶表示装置）とキースイッチから構成され、装置の各種状態や操作方法をＬＣＤに表示し、ユーザーからのキースイッチ入力を検知する。ＣＰＵ（制御手段）１０は、デジタル画像処理装置の制御全体を司るマイクロプロセッサである。Ｎ．Ｂ．１１は、パーソナルコンピュータに使用されるチップセットの一つで、Ｎｏｒｔｈ  Ｂｒｉｄｇｅと呼ばれる汎用の電子デバイスであり、主に、ＣＰＵ−ＰＣＩブリッジを含むＣＰＵシステムを構築する際によく使用されるバスのブリッジ機能を汎用回路化したもので、図示する構成例ではＣＰＵ−ＰＣＩバス、メモリコントローラ、ＡＧＢバスとの間をブリッジしている。Ｓ．Ｂ．１３は、パーソナルコンピュータに使用されるチップセットの一つで、Ｓｏｕｔｈ  Ｂｒｉｄｇｅと呼ばれる汎用の電子デバイスであり、主に、ＰＣＩ−ＩＳＡブリッジを含むＣＰＵシステムを構築する際によく使用されるバスのブリッジ機能を汎用回路化したもので、図示する構成例ではＲＯＭとの間をブリッジしている。
【００１２】
また、ＲＯＭ１４は、ＣＰＵがデジタル画像処理装置の制御を行う際のプログラム（ブートを含む）が格納されるメモリである。メモリ２（１２）は、ＣＰＵがデジタル画像処理装置の制御を行う際に、プログラムや中間処理データを一時的に記憶するメモリである。ＣＰＵ１０には高速処理を求められるため、通常起動時にＲＯＭに記憶されたブートプログラムにてシステムを起動し、その後は高速にアクセス可能なメモリ２に展開されたプログラムによって処理を行う。図示する構成例では規格化されパーソナルコンピュータに使用されているＤＩＭＭを使用する。
【００１３】
バス制御装置７は、デジタル画像処理装置内で必要な画像データや制御コマンド等の各種データのやり取りを行うデータバスの制御回路で、画像の回転などの編集機能や、複数種のバス規格間のブリッジ機能も有している。図示する構成例では、操作部９、読み取り部１、プロッタ部２、画像データ処理部１５に規格化された汎用拡張バスであるＰＣＩバスが接続され、ＨＤＤ３とはＡＴＡバスが接続され、メモリ１（８）とはＤＩＭＭバスが接続され、Ｎ．Ｂ．１１とはＡＧＰバスと接続し、ＡＳＩＣ化している。
【００１４】
メモリ１（８）は、複数種のバス規格間をブリッジする際の速度差や、接続された部品自体の処理速度差を吸収するために、一時的にやりとりするデータを記憶するメモリである。図示の構成例では規格化されパーソナルコンピュータに使用されているＤＩＭＭを使用する。画像データ処理部１５は、ＡＳＩＣなどによりデジタル画像処理装置内で必要となる画像データに対する処理を行なう。
【００１５】
次に、デジタル画像処理装置における各構成要素の詳細構造と動作について以下説明する。まず、図２３にて読取り装置１の処理ブロックを説明する。読取り光学系１０１は図２０で示したように画像を読み取る。ＣＣＤ４０５から得られた輝度レベルをＡ−Ｄ変換１０２でディジタル化し、シェーディング補正１０３にて光源ムラなどの補正を行ない濃度レベルに変換する。像域分離１０４は、画像中のエッジ領域や網点領域などの領域情報を判定し、画像データと平行して出力する。フィルタ１０５ではＭＴＦ特性の補正を行なう。色変換１０６では、蓄積画像の色空間を統一化させ、変倍１０７では蓄積すべき画像サイズ指定にあわせて拡大又は縮小を行なう。Ｉ／Ｆ回路１０８ではＰＣＩを通して画像を汎用バスに送り出す。
【００１６】
図２４には画像データ処理部の処理ブロック図を示し、図２２と合わせてデジタル画像処理装置における、コピー動作、スキャナ動作、プリンタ動作の各動作を示す。
【００１７】
「コピー動作」
ユーザーは原稿を読み取り部１にセットし、所望するモード等の設定とコピー開始の入力を操作表示部９に行う。操作表示部９はユーザーから入力された情報を、機器内部の制御コマンドデータに変換し発行する。発行された制御コマンドデータはＰＣＩバス、バス制御装置７、ＡＧＢバスを介してＣＰＵ１０に通知される。ＣＰＵ１０はコピー開始の制御コマンドデータに従って、コピー動作プロセスのプログラムを実行し、コピー動作に必要な設定や動作を順に行っていく。以下に動作プロセスを順に記す。
【００１８】
読み取り部１で原稿をスキャンし、ＲＧＢ各８ビットからなるデジタル画像データを、ＰＣＩバス、バス制御装置７を介してメモリ１（８）に蓄積する。ＣＰＵは画像データ処理部１５に、ユーザーの所望するモードに従った処理の設定を行う。処理の内容に関しては後述する。このときにユーザーがデータ保存を所望する場合、メモリ１（８）内のＲＧＢ各８ビットの画像データをＨＤＤ３に保存してもよい。
【００１９】
メモリ１に蓄積したＲＧＢ各８ビットのデータは、画像データ処理部１５に送られる。図２４に示す画像データ処理部内では、Ｉ／Ｆ回路３０を介してＰＣＩバスからの各種データを送受する。これは汎用拡張バスであるＰＣＩバスと、画像データ処理内のローカルデータバスをブリッジする回路である。ポストフィルタ３１はＰＣＩバスから受け取ったデータに対して、必要に応じて平滑化、ＭＴＦフィルタ処理を行なう。色補正部３２はＲＧＢ→ＣＭＹＫ変換を行なう。ＣＭＹＫ特徴量抽出部３３はＣＭＹＫ後のデータで画像のエッジ領域などを判定する。γ変換部３４は、ＣＭＹＫデータを受け取るとユーザーが所望するモード情報に従って明るさを調整し出力する。また、γ処理部３４はＣＭＹＫ特徴量抽出部３３や像域分離部１０４からの結果により、特定の領域でγカーブを変えることで階調性を変えることも可能である。
【００２０】
画像データ処理部１５内の階調処理部３５は、２ｂｉｔや８ｂｉｔなど、蓄積あるいは出力画像の画像データフォーマットに合わせて量子化を行なう。量子化としては単純なｂｉｔ有効画素数に従った量子化のほか、誤差拡散、ディザも行なう。また、ＣＭＹＫ特徴量抽出部３３や像域分離部１０４からの結果により、特定の領域で誤差拡散処理などのテーブルを変えることで階調表現を変えることも可能である。
【００２１】
画像データ処理部１５で処理されたＣＭＹＫ各２ビットの画像データは、ＰＣＩバス、バス制御装置７を介して再度メモリ１（８）に蓄積する。このときにユーザーがデータ保存を所望する場合、メモリ１（８）内のＣＭＹＫ各２ビットの画像データをＨＤＤ３に保存してもよい。メモリ１（８）に蓄積さしたＣＭＹＫ各２ビットの画像データは、ＰＣＩバス、バス制御装置７を介して、プロッタ部２に送られる。プロッタ部２は受け取ったＣＭＹＫ各２ビットの画像データを転写紙に出力し、原稿のコピーが生成される。
【００２２】
「スキャナ動作」
ユーザーは原稿を読み取り部１にセットし、所望するモード等の設定とスキャナ送信開始の入力を操作表示部９に行う。操作表示部９はユーザーから入力された情報を、機器内部の制御コマンドデータに変換し発行する。発行された制御コマンドデータはＰＣＩバス、バス制御装置７、ＡＧＢバスを介してＣＰＵ１０に通知される。ＣＰＵ１０はスキャナ開始の制御コマンドデータをに従って、スキャナ送信動作プロセスのプログラムを実行し、スキャナ送信動作に必要な設定や動作を順に行っていく。以下に動作プロセスを順に記す。
【００２３】
読み取り部１で原稿をスキャンし、ＲＧＢ各８ビットからなるデジタル画像データを、ＰＣＩバス、バス制御装置７を介してメモリ１（８）に蓄積する。ＣＰＵ１０は画像データ処理部１５に、ユーザーの所望するモードに従った処理の設定を行う。このときに、ユーザーがデータ保存を所望する場合、メモリ１（８）内のＲＧＢ各８ビットの画像データをＨＤＤ３に保存してもよい。メモリ１に蓄積したＲＧＢ各８ビットのデータは、画像データ処理部１５に送られる。画像データ処理部１５内では（図２４参照）、Ｉ／Ｆ回路３０を介してＰＣＩバスからの各種データを送受する。これは汎用拡張バスであるＰＣＩバスと、画像データ処理内のローカルデータバスをブリッジする回路である。ポストフィルタ３１はＰＣＩバスから受け取ったデータに対して、必要に応じて平滑化、ＭＴＦフィルタ処理を行なう。
【００２４】
色補正部３２はＲＧＢ→ＣＭＹＫ変換を行なう。ＣＭＹＫ特徴量抽出部３３はＣＭＹＫ後のデータで画像のエッジ領域などを判定する。γ変換部３４は、ＣＭＹＫデータを受け取るとユーザーが所望するモード情報に従って明るさを調整し出力する。また、γ処理部３４はＣＭＹＫ特徴量抽出部３３や像域分離部１０４からの結果により、特定の領域でγカーブを変えることで階調性を変えることも可能である。もしこのとき、ユーザーが特別に明るさの調整を指定している場合は明るさを調整し出力してもよい。
【００２５】
画像データ処理部１５内部の階調処理部３５は、２ｂｉｔや８ｂｉｔなど、蓄積あるいは出力画像の画像データフォーマットに合わせて量子化を行なう。量子化としては単純なｂｉｔ有効画素数に従った量子化のほか、誤差拡散、ディザも行なう。また、ＣＭＹＫ特徴量抽出部３３や像域分離部１０４からの結果により、特定の領域で誤差拡散処理などのテーブルを変えることで階調表現を変えることも可能である。
【００２６】
画像データ処理部１５で処理されたｓＲＧＢ各８ビットの画像データは、ＰＣＩバス、バス制御装置７を介して再度メモリ１（８）に蓄積する。このときにユーザーがデータ保存を所望する場合、メモリ１（８）内のｓＲＧＢ各８ビットの画像データをＨＤＤ３に保存してもよい。メモリ１（８）に蓄積さしたｓＲＧＢ各８ビットの画像データは、バス制御装置７、ＡＧＢバス、Ｎ．Ｂ．１１、ＰＣＩバス、外部Ｉ／Ｆ回路部４を介して、ネットワークに送出され、外部サーバーやＰＣ５に伝えられ、スキャナ送信が行われたことになる。
【００２７】
「プリンタ動作」
ユーザーはＰＣ５のアプリケーションソフトを通じて電子ドキュメントの印刷を行う。ＰＣ５のプリンタドライバソフトは、印刷指定された電子ドキュメントのレンダリングを行いＣＭＹＫのデジタル画像データを生成する。ＰＣ５はネットワークを介して、デジタル画像処理装置にプリントの要求と生成したＣＭＹＫのデジタル画像データを送出する。
【００２８】
ＣＰＵ１０は外部Ｉ／Ｆ回路部４、ＰＣＩバス、Ｎ．Ｂ．を介して、ＰＣ５からのプリント要求の制御コマンドデータを受け取ると、プリンタ動作プロセスのプログラムを実行し、必要な設定や動作を順に行っていく。以下に動作プロセスを順に記す。
【００２９】
ＰＣ５からネットワークを介して送られてくるＣＭＹＫ各２ビットのデジタル画像データは、外部Ｉ／Ｆ回路部４、ＰＣＩバス、Ｎ．Ｂ、バス制御装置７を介して、メモリ１（８）に蓄積する。メモリ１に蓄積したＣＭＹＫのデータが多値だった場合は、画像データ処理部１５に送られる。
【００３０】
画像データ処理部１５内では、Ｉ／Ｆ回路３０を介してＰＣＩバスからの各種データを送受する。これは汎用拡張バスであるＰＣＩバスと、画像データ処理内のローカルデータバスをブリッジする回路である。ポストフィルタ３１はＰＣＩバスから受け取ったデータに対して、必要に応じて平滑化、ＭＴＦフィルタ処理を行なう。
【００３１】
色補正部３２はＲＧＢ→ＣＭＹＫ変換を行なう。ＣＭＹＫ特徴量抽出部３３はＣＭＹＫ後のデータで画像のエッジ領域などを判定する。γ変換部３４は、ＣＭＹＫデータを受け取るとユーザーが所望するモード情報に従って明るさを調整し出力する。また、γ処理部３４はＣＭＹＫ特徴量抽出部３３や像域分離部１０４からの結果により、特定の領域でγカーブを変えることで階調性を変えることも可能である。画像データ処理部１５内部の階調処理部３５は、２ｂｉｔや８ｂｉｔなど、蓄積あるいは出力画像の画像データフォーマットに合わせて量子化を行なう。量子化としては単純なｂｉｔ有効画素数に従った量子化のほか、誤差拡散、ディザも行なう。また、ＣＭＹＫ特徴量抽出部３３や像域分離部１０４からの結果により、特定の領域で誤差拡散処理などのテーブルを変えることで階調表現を変えることも可能である。
【００３２】
画像データ処理部１５で処理されたＣＭＹＫ各２ビットの画像データは、ＰＣＩバス、バス制御装置７を介して再度メモリ１（８）に蓄積する。メモリ１（８）に蓄積さしたＣＭＹＫ各２ｂｉｔの画像データは、ＰＣＩバス、バス制御装置７を介して、プロッタ部２に送られる。プロッタ部２は受け取ったＣＭＹＫ各２ビットの画像データを転写紙に出力し、プリンタ処理が行われることになる。
【００３３】
以上説明したデジタル画像処理装置は、従来公知のものについてその一般的な構成と動作を説明したものであるが、デジタル画像処理装置による複写動作中の設定変更に対応して高効率の複写を実現できる従来技術は、例えば、特許文献１に提案されている。この特許文献１によると、原稿の画像を読み取り、その結果得られた画像信号をもとに複写動作を行う際に、複写動作の途中で動作の中断が指示されて場合に、処理内容の変更が生じたときその変更内容に基づいて原稿を再度操作するか否かを選択することが開示されています。
【特許文献１】特開平１１−３３８３１６号公報
【発明の開示】
【発明が解決しようとする課題】
【００３４】
上述した一般的な従来公知のデジタル画像処理装置においては、例えば、蓄積後の画像サイズを変更する等の処理は難しく、新たな工夫を要する。また、上記の特許文献１においては、読み取りを開始した後で倍率や加工を加えたくなる場合、再度原稿を読み取ることが必要になる。また、試しに一部コピーをとり、その画像を確認した後に変更する場合も再度原稿を読み取ることを要する。また、出力途中で用紙が足りなくなった場合、出力枚数を減らすために画像加工を加える場合も、再度原稿を読み取ることが必要になる。
【００３５】
そこで、本発明の主たる目的は、意図しない出力結果による用紙の無駄を防ぐとともに、意図しない出力結果を招いて再度出力方法を変えたときの原稿の再読み込みを省くことのできるデジタル画像処理装置を提供することにある。
【課題を解決するための手段】
【００３６】
前記課題を解決するために、本発明は主として次のような構成を採用する。  
ユーザーからの操作入力を検知する操作手段と装置の各種状態を表示する表示手段とからなる操作表示部と、原稿を読取り電子化した画像データを得る画像読み取り部と、転写紙に前記画像データを印字する画像書き込み部と、前記画像データおよび前記画像データの付帯情報を蓄積する記憶部と、外部装置と前記画像データを送受する外部Ｉ／Ｆ部と、前記画像データに対する処理を行う画像データ処理部と、画像処理装置内各部の制御を行なう制御部と、を備え、前記操作表示部からの出力要求に対して、前記画像読み取り部で全ての原稿を読み取って前記記憶部に蓄積し、前記画像書き込み部からの出力は原稿の一部あるいは一ページ分だけ試し出力し、前記試し出力の結果の確認後に、前記結果の適否が適の場合に前記操作表示部を現状のままの設定で引き続き前記画像書き込み部から出力し、前記結果の適否が否の場合に前記操作表示部を再設定して既に読み取りの終了した前記記憶部からの画像データを前記画像データ処理部で再処理して前記画像書き込み部から出力する構成とする。
【００３７】
また、前記画像処理装置において、前記転写紙の残り量を検知する転写紙残量検知部を設け、前記制御部は、前記転写紙残量検知部からの転写紙残量と、前記操作表示部によるユーザーからの出力要求に必要な枚数とから、前記出力要求に対して転写紙が不足すると判断した場合、前記画像読み取り部で全ての原稿を読み取って前記記憶部に蓄積しつつ、前記画像書き込み部からの出力は行なわずに前記操作表示部に転写紙が不足することを表示する構成とする。
【００３８】
また、前記画像処理装置において、前記制御部は、同時並列的な複数要求の場合に優先度の高い要求により割り込みが発生し、前記発生した割り込み要求によって割り込まれた元の出力要求に対して転写紙が不足すると判断した場合、前記操作表示部に転写紙が不足することを表示する構成とする。
【００３９】
また、前記画像処理装置において、前記制御部は、前記転写紙残量検知部からの転写紙残量と、前記操作表示部からの出力要求に必要な枚数とに基づいて、前記転写紙が不足すると判断した場合に、両面出力、用紙サイズ、集約処理等の加工を検討し、前記検討された加工によって転写紙不足か否かを判定し、前記判定によって転写紙不足が解消される場合に、前記転写紙不足の表示に加えて、該当する加工の種別と前記解消される旨を前記操作表示部に表示する構成とする。さらに、前記画像処理装置において、前記制御部は、前記転写紙不足の表示と前記該当する加工の種別を前記操作表示部に表示した時点からタイマーに設定した規定時間に達してもユーザーによる前記操作表示部からの反応指示がなかったことを検知すると、前記操作表示部に表示した前記該当する加工を実行させ、前記実行した加工によって前記画像書き込み部から出力する構成とする。
【発明の効果】
【００４０】
本発明によれば、事前に出力のイメージを一部又は一ページ分出力することで、意図しない出力結果による用紙の無駄を防ぐことができる。さらに、意図しない出力結果を招いて、再度出力方法を変えたときの原稿の再読み込みを省き、工数を低減することができる。
【００４１】
また、事前に用紙が不足することを予測した場合にユーザーに告知を行なうことにより停止時間の無駄を低減することができる。なお、本発明の実施形態に係る画像処理装置毎の効果乃至作用については、それぞれの実施形態の説明と併せて説明することとする。
【発明を実施するための最良の形態】
【００４２】
本発明の実施形態に係る画像処理装置について、図１〜図１８を参照しながら以下詳細に説明する。図１は本発明の実施形態に係る画像処理装置における画像データ処理部の構成を示すブロック図である。図２は本発明の実施形態に係る画像処理装置における第１の制御例を説明する図である。図３は本実施形態に関する第１の制御例でのお試しコピー時と本コピー時を説明する図である。図４は本実施形態に関する第１の制御例でのお試しコピーの動作フローを示す図である。図５は本実施形態に関する第１の制御例での本コピーの動作フローを示す図である。図６は本実施形態に関する第１の制御例での本コピーの他の動作フローを示す図である。なお、上述の背景技術の欄で説明した図１９〜図２４に示すデジタル画像処理装置における一般的な構成と動作は、本実施形態に係る画像処理装置にも適用され得るものである。
【００４３】
図１は本発明の実施形態に係る画像処理装置における画像データ処理部の構成を示すブロック図であり、各ブロックの動作について以下説明する。画像データ処理部１５内では、Ｉ／Ｆ回路３０を介してＰＣＩバスからの各種データを送受する。Ｉ／Ｆ回路３０は汎用拡張バスであるＰＣＩバスと、画像データ処理部１５内のローカルデータバスをブリッジする回路である。変倍部３６では、蓄積された読み取り部１で読み取られた解像度の画像データを、加工される要求に沿った画像サイズ指定にあわせて拡大又は縮小（解像度の変換）を行なう。
【００４４】
また、ポストフィルタ３１はＰＣＩバスから受け取ったデータに対して、必要に応じて平滑化、ＭＴＦフィルタ処理を行なう。色補正部３２はＲＧＢ→ＣＭＹＫ変換を行なう。ＣＭＹＫ特徴量抽出部３３はＣＭＹＫ後のデータで画像のエッジ領域などを判定する。γ処理部３４は、ＣＭＹＫデータを受け取るとユーザーが所望するモード情報に従って明るさを調整し出力する。また、γ処理部３４はＣＭＹＫ特徴量抽出部３３や像域分離部１０４（図２３に示す読み取り部１を参照）からの結果により、特定の領域でγカーブを変えることで階調性を変えることも可能である。
【００４５】
画像データ処理部１５内部の階調処理部３５は、２ｂｉｔや８ｂｉｔなど、蓄積あるいは出力画像の画像データフォーマットに合わせて量子化を行なう。量子化としては単純なｂｉｔ有効画素数に従った量子化のほか、誤差拡散、ディザも行なう。また、ＣＭＹＫ特徴量抽出部３３や像域分離部１０４からの結果により、特定の領域で誤差拡散処理などのテーブルを変えることで階調表現を変えることも可能である。
【００４６】
画像データ処理部１５で処理されたＣＭＹＫ各２ビットの画像データは、ＰＣＩバス、バス制御装置７を介して再度、メモリ１（８）に蓄積する（図２を参照）。メモリ１（８）に蓄積さしたＣＭＹＫ各２ｂｉｔの画像データは、ＰＣＩバス、バス制御装置７を介して、プロッタ部２に送られる。プロッタ部２は、受け取ったＣＭＹＫ各の画像データを転写紙に出力し、プリンタ処理が行われたことになる。
【００４７】
図１に示す本実施形態に関する画像データ処理部１５を用いると、画像データ処理を行なう前の画像は変倍を施す必要が無いため（図２３に示す読み取り部１内の変倍部１０７との比較において）、変倍前の画像をメモリ１（８）に蓄積し、蓄積した後にデータを加工することが可能となる。
【００４８】
次に、本実施形態に係る画像処理装置における第１の制御例でのお試しコピー時の動作について、図２、図３および図４を参照しながら以下説明する。ここで、お試しコピーとは、コピーで編集や加工を選んだ場合に、出力を確かめるために一部あるいは一ページ分だけ出力し、その出力の結果を確認する動作である。図３の（Ａ）は本実施形態に関する第１の制御例でのお試しコピー時の動作手順をを説明する図であり、図４は本実施形態に関する第１の制御例でのお試しコピーの動作フローを示す図である。
【００４９】
先ず、ユーザーが操作表示部９でコピーの出力要求を設定した後、お試しコピーを指示して最終的なプロッタ部２からの出力を要求する。ＣＰＵ１０は、ユーザーからの設定内容を受け取り（図４のステップ５１）、読み取り部１に読取り開始を要求する（図４のステップ５２）。この場合、全ての原稿が読み取られ、バス制御装置７を通してメモリ１（８）に蓄積される。ＣＰＵ１０は、メモリ１の画像をＨＤＤ３に蓄積させる（図４のステップ５２）。
【００５０】
ここで、図４に示す動作フローの右側は、図２と図３に示す矢印処理の流れに対応させている。例えば、図４のステップ５３の右側に示す「図３Ａ−１」（但し、図面では丸数字が表記されているが、本明細書では図面の丸数字に代えて、単に数字のみで表記する）は、図３の（Ａ）に示す矢印処理の丸数字１に対応していることを示している。以下、説明は省略するが、図４に示す各ステップと、ステップに付された図２と図３（Ａ）の数字は、対応しているものである。
【００５１】
ＣＰＵ１０は画像データ処理部１５とプロッタ部２に処理内容を設定し（図４のステップ５５，５６）、メモリ１（８）の画像を画像データ処理部１５に送り、画像処理を開始する。ここで、変倍に関する加工や編集が要求される場合は、画像データ処理部１５で画像の大きさ（解像度）の変換を行なう。画像データ処理部１５は処理後のデータをメモリ１（８）に送る（図４のステップ５８：図３（Ａ）の３に対応）。ここで、２ページの画像を１ページに出力する集約などの処理がある場合、メモリ１（８）にて画像の貼り付け（合成）を行なう。メモリ１（８）の合成後のデータがプロッタ部２に送られ、出力される（図４のステップ５９）。
【００５２】
お試しコピーの場合、お試し出力が一部の場合は、全ての原稿を読取り、最終的に全ての原稿を加工して出力する。お試し出力が一ページの場合、原稿は同様に全ての画像をメモリ１（８）やＨＤＤ３に蓄積しながら、出力だけは一ページ分だけ行なう。
【００５３】
ユーザーはプロッタ部２における出力を確認し、満足した場合は、引き続き本コピー動作の開始を要求する。次に、本コピーの動作について、図２に示す本実施形態に関する第１の制御例と、図３に示す本実施形態に関する第１の制御例の本コピー時（Ｂ）と、図５に示す本実施形態に関する第１の制御例における本コピーの動作フロー（制御＋画像データ）例と、に基づいて以下説明する。ここでは、一ページ分だけお試しされた後、一部数の本コピー出力を行なう場合を示している。
【００５４】
お試しコピー後、ユーザーから引続き出力する要求が来た場合（図５のステップ７１）、ＣＰＵ１０は画像データ処理部１５に処理内容を設定するとともに、プロッタ部２に処理内容を設定する。ＣＰＵ１０はＨＤＤ３から蓄積された画像をメモリ１（８）に展開する（図５のステップ７４：図３（Ｂ）の１に対応）。
【００５５】
次に、メモリ１（８）の画像を画像データ処理部１５に送付する（図５のステップ７５）。画像データ処理部１５は画像処理のほか、編集、加工を行ない、メモリ１（８）へ処理後の画像を送る。メモリ１（８）では、画像合成がある場合は、複数の処理後画像を合成する（図５のステップ８０：図３（Ｂ）の８に対応）。メモリ１（８）で合成された画像をプロッタ部２に送り、出力する（図５のステップ７８）。
【００５６】
次に、一ページ分だけお試しされた後、複数部の本コピー出力を行なう場合について、図２に示す本実施形態に関する第１の制御例と、図３に示す本実施形態に関する第１の制御例の本コピー時（Ｂ）と、図６に示す本実施形態に関する第１の制御例における本コピーの他の動作フロー（制御＋画像データ）例と、に基づいて以下説明する。
【００５７】
お試しコピー後、ユーザーから引続き出力する要求が来た場合（図６のステップ７１）、ＣＰＵ１０は先ず一部目の出力を行なう。ＣＰＵ１０は画像データ処理部１５に処理内容を設定するとともに、プロッタ部２に処理内容を設定する。ＣＰＵ１０はＨＤＤ３から蓄積された画像をメモリ１（８）に展開する（図６のステップ７４）。
【００５８】
次に、メモリ１（８）の画像を画像データ処理部１５に送付する（図６のステップ７５）。画像データ処理部１５は画像処理のほか、編集、加工を行ない、メモリ１（８）へ処理後の画像を送る（図６のステップ７６：図３（Ｂ）の３に対応）。メモリ１（８）では、画像合成がある場合は、複数の処理後画像を合成する（図６のステップ８０）。メモリ１（８）で合成された画像をプロッタ部２に送り、出力する（図６のステップ７８）。
【００５９】
この一部目処理により、ＨＤＤ３には、一部目の合成後データが蓄積される（図６のステップ８２）。ＣＰＵ１０は２部目以降は、ＨＤＤ３からメモリ１（８）へ合成後データを送付し（図６のステップ８４）、更に、メモリ１（８）からプロッタ部２にメモリ８の画像を送り出力する（図６のステップ７８：図３（Ｂ）の７に対応）。
【００６０】
以上説明したように、本実施形態に係る画像処理装置においては、ユーザーからの出力要求に対して、全ての原稿を読み取りつつ、出力だけは一部あるいは一ページだけ出力してユーザーに出力確認し、ＯＫの場合はそのまま、ＮＧの場合は操作表示手段への再設定により、既に読み取りを終了した原稿データを再処理して出力するものであるので、意図しない出力結果による用紙の無駄を防ぐこととができ、意図しない出力結果を招いて、再度出力方法を変えたときの原稿の再読み込みを省き、工数を低減することができる。
【００６１】
次に、本発明の実施形態に係る画像処理装置における第２の制御例について、図７と図８を参照しながら以下説明する。図７は本発明の実施形態に係る画像処理装置における第２の制御例を説明する図である。図８は本実施形態に関する第２の制御例の動作フローを示す図である。本実施形態に関する第２の制御例においては、プロッタ部２がそれに搭載される出力用紙の残数を把握する機構を備えている場合のものである。出力用紙の残数の把握については、用紙の重さと用紙種類設定などから勘案される予想値レベルなどの情報で良い
図７と図８において、ＣＰＵ１０は操作表示部９から動作要求（ユーザーによる設定内容）を受け取る。動作要求を受け取ったＣＰＵ１０は、読み取り部１に処理内容を伝える（図８のステップ５２）。さらに、ＣＰＵ１０はプロッタ部２から用紙残量情報を受け取って（図８のステップ８５：図７に示す矢印処理３に対応）、この用紙残量情報と、操作表示部９から受け取った動作要求から、本コピー動作が必要とする出力用紙枚数を計算し、残量と比較して、用紙不足か否かの予想を立てる（図８のステップ８７）。
【００６２】
仮に、用紙不足の予想が立った場合、ＣＰＵ１０は操作表示部９に用紙不足が予想されるメッセージを表示させる（図８のステップ８６：図７に示す矢印処理４に対応）。ＣＰＵ１０は表示とともに、読み取り部１に読取り開始を通知する。読み取り部１は読み取った画像データをメモリ１（８）に送付し、それをＨＤＤ３に蓄積する。
【００６３】
以上のような動作により、用紙不足が生じる場合でも、予め全ての原稿が読み取られて蓄積されるため、後で設定が変更されても再び原稿を読み取る必要がなくなる。換言すると、ＣＰＵ（制御手段）は、転写紙残量と出力要求枚数から、要求内容に対して転写紙が不足すると判断した場合、全ての原稿を読み取りつつ、出力は行なわずに操作表示部９に転写紙が足りなくなることを表示するので、ユーザーに告知を行なうこととなり停止時間の無駄を低減することができる。
【００６４】
次に、本発明の実施形態に係る画像処理装置における第３の制御例について、図９を参照しながら以下説明する。図９は本実施形態に関する第３の制御例の動作フローを示す図である。現在のＭＦＰでは、コピーやプリンタ、スキャナの要求が同時並列的に要求される。その場合、優先度の高いＪＯＢ（要求）は、先に要求される動作の出力中であっても割り込みにより先に動作を行ない、その動作の終了を待って、優先度の低い動作が行なわれる。
【００６５】
このような制御の場合、例え、元の動作の要求時に用紙が足りていても、割り込みの動作の発生（図９のステップ８８’）によって、ＪＯＢ開始時には充足していた用紙が足りなくなることがある。これを防ぐため、割り込み動作が発生した際に、割り込み動作の終了時にプロッタ部から用紙残量情報を受け取って（図９のステップ８５）、用紙が足りないか否かの判定を行なう。仮に、用紙不足が予想されると、図８と同様に操作表示部９にその旨を表示する。割り込み発生の際には、割り込みの出力動作は続けていてもよい。
【００６６】
次に、本発明の実施形態に係る画像処理装置における第４の制御例について、図１０を参照しながら以下説明する。図１０は本実施形態に関する第４の制御例の動作フローを示す図である。図１０では、用紙不足が判定された後の動作を示している。
【００６７】
第４の制御例は、用紙が足りないことが分かった場合、ＣＰＵ１０は両面出力が指定されているかどうかを判定する。両面出力が判定されていない場合、両面処理を仮処理として追加する。ＣＰＵ１０は、両面処理を追加した状態で、更に用紙の不足を判定する。
【００６８】
仮に、ここで用紙不足が解消された場合、ＣＰＵ１０は操作表示部９に用紙不足表示に加えて、両面処理を処理として追加すると、出力がすべて可能になることを表示する。もし、両面処理の追加でも不足の場合は、用紙サイズを確認する。もし、もっと大きいサイズの用紙があった場合、用紙サイズ変更を仮処理として追加する。さらに、集約処理の指定を判定し、更に集約可能かどうかを判断する。可能の場合は、集約処理の内容を変更する。
【００６９】
最後に、両面、用紙、集約を絡めて、用紙不足を確認し、解消される場合は、用紙不足と共に変更を提案する追加処理を操作表示部９に表示する。一方、用紙不足が解消されない場合は、追加処理の提案は行なわず、用紙不足の表示のみを操作表示部９に表示する。以上の処理は、図１０に説明したとおりである。
【００７０】
以上のように、本実施形態に関する第４の制御例は、ＣＰＵが、転写紙残量予測の情報に対して、操作表示部からの出力要求に対して転写紙が不足すると判断した場合、転写紙が不足しないような加工を検討して、加工内容が見つかった場合、新しい出力内容を操作表示部に表示し、ユーザーに代替手段を提案することにより、再出力の工数を低減することができる。
【００７１】
次に、本発明の実施形態に係る画像処理装置における第５の制御例について、図１１を参照しながら以下説明する。図１１は本実施形態に関する第５の制御例の動作フローを示す図である。本実施形態に関する第５の制御例は、用紙不足を検知した場合に、追加処理の内容を表示した後のフローを示している。
【００７２】
操作表示部９で要求した直後、或いは割り込みＪＯＢの終了時にＣＰＵ１０で用紙不足が判定されると、用紙不足あるいは追加処理の提案内容を操作表示部９に表示して一時的に出力が停止する。その後、ＣＰＵ１０はタイマーを起動する。タイマーがある規定時間を超えると、ＣＰＵ１０は追加処理がある場合は追加処理の内容に出力内容を変更し、出力を再開する。
【００７３】
このように、ＣＰＵ（制御手段）は、内部に持つ時間管理機能（タイマー）を用いて、操作表示部９に表示した出力内容、或いは転写紙不足の表示に対して、ユーザーが一定期間応答しなかった場合、予め提案した内容に沿って自動的に出力内容を変更し、出力する。これによって、停止もしくは出力に要する時間の増加を防ぐことができる。
【００７４】
次に、本発明の実施形態に係る画像処理装置における第６の制御例について、図１２と図１３を参照しながら以下説明する。図１２は本発明の実施形態に係る画像処理装置における第６の制御例を説明する図である。図１３は本実施形態に関する第６の制御例の動作フローを示す図である。第６の制御例では、ユーザー登録のフロー例を示している。
【００７５】
先ず、ユーザーは操作表示部９から所望の登録を行なう（図１２に示す矢印処理１）。設定後、ＣＰＵ１０は設定値をＨＤＤ３に送り、登録する（図１２に示す矢印処理２）。尚、設定値を登録するデバイスは、不揮発性の記憶媒体であればよいので、ＨＤＤ３である必要はない。ここでの所望の登録は、図１０で示した追加処理の優先順位を決める場合に使用される。
【００７６】
また、操作表示部９からの登録は、図１１における用紙不足時の追加処理待ち時間の設定や、用紙不足時の操作表示部９への表示時にＭＦＰ（画像処理装置）が停止して待つかどうかも設定可能である
図１３では、集約や両面動作で、集約を優先した場合の追加処理決定の制御フローを示している。先ず、用紙が足りないと判定した場合、用紙サイズを確認する。もし、もっと大きいサイズの用紙があった場合、用紙サイズ変更を仮処理として追加する（もし大きな用紙がない場合はそのままの用紙とする）。さらに、集約処理の指定を判定し、さらに集約可能かどうかを判断する。可能の場合は、集約処理の内容を変更する。
【００７７】
もし、ここで用紙不足が解消された場合、ＣＰＵ１０は操作表示部９に用紙不足表示に加えて、集約処理（又はさらに用紙変更）を処理として追加すると、出力がすべて可能になることを表示する。それでも用紙が足りないことが分かった場合、ＣＰＵ１０は両面出力が指定されているかどうかを判定する。両面出力が判定されていない場合、両面処理を仮処理として追加する。
【００７８】
用紙、集約、両面を絡めて、用紙不足を確認し、解消される場合は、用紙不足とともに変更を提案する追加処理を操作表示部９に表示する。一方、用紙不足が解消されない場合は、追加処理の提案は行なわず、用紙不足の表示のみを操作表示部９に表示する。追加処理や用紙不足を表示した場合、ＣＰＵ１０は或る程度の時間を置いて、操作表示部９に何らかの応答（反応）が無い場合、追加処理もしくは追加処理が無い場合は、当初指定された処理に入る。
【００７９】
以上説明したように、ユーザーを特定し、ユーザーの出力内容の優先順位を記憶することによって、ＣＰＵ（制御手段）は、転写紙不足の場合に、どのような優先順位で出力内容を変更するかを決めていくので、ユーザー個別に登録する内容によりユーザーの意図にあった出力を提供することができる。
【００８０】
次に、本発明の実施形態に係る画像処理装置における第７の制御例について、図１４、図１５及び図１６を参照しながら以下説明する。図１４は本発明の実施形態に係る画像処理装置における第７の制御例を実行するための読み取り部の構成を示す図である。図１５は本発明の実施形態に係る画像処理装置における第７の制御例（読み取り側）を説明する図である。図１６は本発明の実施形態に係る画像処理装置における第７の制御例（加工側）を説明する図である。
【００８１】
図１４は、図２３に示す読み取り部１の内部構成に対して、白紙検知部１１０を付加した構成である。白紙検知部１１０は読取り特性を補正された後の画像データに対して、読み取られた原稿データに画像があるかどうかを判定するものである。図１５において、ＣＰＵ１０は、操作表示部９からユーザーの設定内容を受け取り（矢印処理手順１）、読み取り部１に読み取りのための設定を行なう（矢印処理手順２）。
【００８２】
ＣＰＵ１０はプロッタ部２から用紙残量の情報を受け取り（矢印処理手順３）、用紙不足の判定を行ない、用紙不足が予想される場合には、不足の表示、可能であれば更に追加設定の提案内容を表示する。ＣＰＵ１０は、読み取り部１に読取り開始を指示する。読み取り部１は、原稿を読取って画像データをバス制御装置７を通してメモリ１（８）に蓄積する（矢印処理手順５）。更にメモリ１（８）からＨＤＤ３に画像データを蓄積する。ここで、メモリ１（８）やＨＤＤ３に蓄積される画像データには原稿ごとに、その原稿が白紙かどうかの付帯情報を以って蓄積される。
【００８３】
図１６においては、白紙検知情報が付帯された画像データがどのように加工、編集に影響するかを示している。図１６の動作フローが、図９（Ｂ）と異なるのは、メモリ１（８）から画像データ処理部１５に至る画像データの流れであり、白紙と検知された原稿は間引かれる。その結果、メモリ１で合成される集約画像には白紙は載らず、結果的に出力枚数の低減を行なうことができる。
【００８４】
以上説明したように、読み取り部１の白紙検知部１１０により、ＣＰＵ（制御手段）は、転写紙残量予測部からの情報に対して、操作表示部９からの出力要求に対して転写紙が不足すると判断した場合、白紙検知された原稿を出力対象から外すように制御する。
【００８５】
次に、本発明の実施形態に係る画像処理装置における第８の制御例について、図１７及び図１８を参照しながら以下説明する。図１７は本発明の実施形態に係る画像処理装置における第８の制御例を実行するための画像データ処理部の構成を示す図である。図１８は本発明の実施形態に係る画像処理装置における第８の制御例（加工側）を説明する図である。
【００８６】
本実施形態の第８の制御例においては、画像データ処理部１５にて白紙検知を行なう場合を示していて、図１４に示す読み取り部１内の白紙検知部１１０に対して、画像データ処理部１５内に追加されている。図１８に示す第８の制御例が図９（Ｂ）や図１６と異なるのは、白紙検知を検知するのがメモリ１蓄積後に、画像データ処理部１５で処理を行なった後である。
【００８７】
画像データ処理部１５の白紙検知部１１０で白紙を検知すると、画像データ処理部１１５は検知信号を付帯した画像データをメモリ１に送る（矢印処理手順３）。メモリ１（８）で検知信号を検知すると、メモリ１内での合成や蓄積処理対象から外すことにより、結果的に出力枚数の低減を行なうことができる。
【００８８】
本実施形態における第７と第８の制御例においては、事前に用紙が不足することを予測した場合に、加工の追加だけでなく、無駄な原稿を除外することによる用紙の無駄を低減することができる。
【図面の簡単な説明】
【００８９】
【図１】本発明の実施形態に係る画像処理装置における画像データ処理部の構成を示すブロック図である。
【図２】本発明の実施形態に係る画像処理装置における第１の制御例を説明する図である。
【図３】本実施形態に関する第１の制御例でのお試しコピー時と本コピー時を説明する図である。
【図４】本実施形態に関する第１の制御例でのお試しコピーの動作フローを示す図である。
【図５】本実施形態に関する第１の制御例での本コピーの動作フローを示す図である。
【図６】本実施形態に関する第１の制御例での本コピーの他の動作フローを示す図である。
【図７】本発明の実施形態に係る画像処理装置における第２の制御例を説明する図である。
【図８】本実施形態に関する第２の制御例の動作フローを示す図である。
【図９】本実施形態に関する第３の制御例の動作フローを示す図である。
【図１０】本実施形態に関する第４の制御例の動作フローを示す図である。
【図１１】本実施形態に関する第５の制御例の動作フローを示す図である。
【図１２】本発明の実施形態に係る画像処理装置における第６の制御例を説明する図である。
【図１３】本実施形態に関する第６の制御例の動作フローを示す図である。
【図１４】本実施形態に係る画像処理装置における第７の制御例を実行するための読み取り部の構成を示す図である。
【図１５】本実施形態に係る画像処理装置における第７の制御例（読み取り側）を説明する図である。
【図１６】本実施形態に係る画像処理装置における第７の制御例（加工側）を説明する図である。
【図１７】本実施形態に係る画像処理装置における第８の制御例を実行するための画像データ処理部の構成を示す図である。
【図１８】本実施形態に係る画像処理装置における第８の制御例（加工側）を説明する図である。
【図１９】一般的なデジタル画像処理装置の外観構造を示す図である。
【図２０】一般的なデジタル画像処理装置における読み取り光学系の概略図である。
【図２１】一般的なデジタル画像処理装置における書き込み転写系の概略図である。
【図２２】一般的なデジタル画像処理装置の全体構成を示すブロック図である。
【図２３】一般的なデジタル画像処理装置における読み取り部の構成を示すブロック図である。
【図２４】一般的なデジタル画像処理装置における画像データ処理部の構成を示すブロック図である。
【符号の説明】
【００９０】
１：読み取り部、２：プロッタ部、３：ＨＤＤ、４：外部Ｉ／Ｆ回路部、５：ＰＣ、６：ＳＤ、７：バス制御装置、８：メモリ１、９：操作表示部、１０：ＣＰＵ、１１：Ｎ．Ｂ．、１２：メモリ２、１３：Ｓ．Ｂ．、１４：ＲＯＭ、１５：画像データ処理部、３０：Ｉ／Ｆ回路、３１：ポストフィルタ、３２：色補正部、３３：ＣＭＹＫ特徴量抽出部、３４：γ処理部、３５：階調処理部、３６：変倍部、
１０１：読み取り光学系、１０２：Ａ−Ｄ変換部、１０３：シェーディング補正部、１０４：像域分離部、１０５：フィルタ、１０６：色変換部、１０７：変倍部、１０８：Ｉ／Ｆ回路、１１０：白紙検知部、２０１：感光体、２０２：ＬＤ、２０３：帯電体、２０４：定着ローラ、２０５：トナー、２０６：付着点、２０７：ローラ、４０１：原稿台、４０２：光源、４０３：ミラー、４０４：レンズ・中継ミラー群、４０５：ＣＣＤ、
【図１】
2008236258.tif 000003
【図４】
2008236258.tif 000004
【図５】
2008236258.tif 000005
【図６】
2008236258.tif 000006
【図８】
2008236258.tif 000007
【図９】
2008236258.tif 000008
【図１０】
2008236258.tif 000009
【図１１】
2008236258.tif 000010
【図１３】
2008236258.tif 000011
【図１４】
2008236258.tif 000012
【図１７】
2008236258.tif 000013
【図１９】
2008236258.tif 000014
【図２０】
2008236258.tif 000015
【図２１】
2008236258.tif 000016
【図２３】
2008236258.tif 000017
【図２４】
2008236258.tif 000018
【図２】
2008236258.tif 000019
【図３】
2008236258.tif 000020
【図７】
2008236258.tif 000021
【図１２】
2008236258.tif 000022
【図１５】
2008236258.tif 000023
【図１６】
2008236258.tif 000024
【図１８】
2008236258.tif 000025
【図２２】
2008236258.tif 000026